(57)【特許請求の範囲】
【請求項１】
電子インキング・スタイラス、ディジタル化タブレットおよびそれに関連する表示装置を有する手書き記録装置でページ情報を表示するための方法であって、前記手書き記録装置が、前記ディジタル化タブレット上に置かれる書込媒体上で前記電子インキング・スタイラスを使用して同時に作られる手書きストロークを表す１つまたは複数のディジタル・ページ内のストローク・データを記録し、
複数の表示モード機能のうちの少なくとも１つを選択するステップと、
前記手書き記録装置に記憶された少なくとも１つのディジタル・ページを選択するステップと、
表示されるページ情報を用いてユーザが前記書込媒体上の手書きページと前記選択されたディジタル・ページを視覚的に同期化できるようにするように、前記選択された表示モード機能に従って前記選択されたディジタル・ページの前記ページ情報を表示するステップとを含み、
前記表示モード機能が、前記ディジタル化タブレットに近接する前記電子インキング・スタイラスの位置を表示するための機能を含み、前記ディジタル化タブレットに近接する前記電子インキング・スタイラスの検出された位置に対応する前記選択されたディジタル・ページの部分に記録された前記手書きデータのパニング表示を表示するためのパニング・モード機能を含む、
方法。
【請求項２】
前記表示モード機能が、前記選択されたディジタル・ページのサムネイル・アイコンを表示するための機能を含む、請求項１に記載の方法。
【請求項３】
前記サムネイル・アイコン表示モード機能に従ってページ情報を表示する前記ステップが、
前記選択されたディジタル・ページの手書きデータ内容の縮小版を生成するステップと、
前記サムネイル・アイコン内に前記ディジタル・ページの前記手書きデータ内容の構造を示す前記縮小版を表示するステップと
を含む、請求項２に記載の方法。
【請求項４】
前記選択されたディジタル・ページの前記手書きデータ内容の縮小版を生成する前記ステップが、
サムネイル・アイコンを表示するために前記表示装置の所定の数の画素を指定するステップと、
前記ディジタル・ページの指定された区域のそれぞれが所定の数の座標に関連する、前記ディジタル・ページの指定された区域に前記サムネイル・アイコンの指定された画素のそれぞれを割り当てるステップと、
記録された手書きデータを有する座標を判定するために、前記選択されたディジタル・ページ上で記録された位置データを処理するステップと
を含む、請求項３に記載の方法。
【請求項５】
前記サムネイル・アイコン内で前記縮小版を表示する前記ステップが、
記録された手書きデータを有すると判定された座標を有する指定された区域を有する前記サムネイル・アイコンの各画素を活動化するステップ
を含む、請求項４に記載の方法。
【請求項６】
記録された手書きデータを有する座標を判定するために前記選択されたディジタル・ページ上に記録された位置データを処理する前記ステップが、各指定された区域内の、記録された手書きデータを有する座標の数を計算するステップを含む、請求項４に記載の方法。
【請求項７】
前記サムネイル・アイコン内で前記縮小版を表示する前記ステップが、
記録された手書きデータを有すると判定された座標を有する指定された区域を有する前記サムネイル・アイコンの各画素を活動化するステップであって、各画素が、記録された手書きデータを有する対応する指定された区域内の所定の数の座標の比率に基づくグレイ・スケール係数に従って活動化される、活動化するステップ
を含む、請求項６に記載の方法。
【請求項８】
前記パニング・モード機能に従ってページ情報を表示する前記ステップが、手書きページをディジタル・ページと同期化するために、
前記ディジタル化タブレット上に前記手書きページを置くステップと、
前記電子インキング・スタイラスの位置を継続的に検出している間に、前記手書きページ上で前記電子インキング・スタイラスを移動するステップと、
前記電子インキング・スタイラスの前記検出された位置に対応する前記選択されたディジタル・ページ上の前記手書きデータの画像を表示するステップと、
前記選択されたディジタル・ページが前記手書きページに対応するかどうかを判定するために、前記電子インキング・スタイラスの近傍の前記手書きページ上の手書きと前記表示された手書き画像を視覚的に比較するステップと
を含む、請求項１に記載の方法。
【請求項９】
前記表示モード機能が、前記選択されたディジタル・ページの先頭で記録された所定の数のストロークを表示するための機能を含む、請求項１に記載の方法。
【請求項１０】
前記表示モード機能が、前記選択されたディジタル・ページの末尾で記録された所定の数のストロークを表示するための機能を含む、請求項１に記載の方法。
【請求項１１】
前記表示モード機能が、前記選択されたディジタル・ページ上で記録されたストロークの数を表示するための機能を含む、請求項１に記載の方法。
【請求項１２】
前記表示モード機能が、前記選択されたページ上で記録された少なくとも１つのキーワードのうちの１つ、前記選択されたページ上で記録されたキーワードの量およびこれらの組合せを表示するための機能を含む、請求項１に記載の方法。
【請求項１３】
前記表示モード機能が、前記選択されたページについて指定されたしおりの数を表示するための機能を含む、請求項１に記載の方法。
【請求項１４】
前記表示モード機能が、前記選択されたディジタル・ページの指定された区域内で記録された手書きページ識別子のビットマップ画像を表示するための機能を含む、請求項１に記載の方法。
【請求項１５】
前記表示モード機能が、前記ディジタル化タブレットに近接する前記電子インキング・スタイラスの位置と、前に記憶された位置の位置とを、前記ユーザが前記電子インキング・スタイラスの位置を前記記憶された位置に位置合せできるように、同時に表示するための機能を含む、請求項１に記載の方法。
【請求項１６】
前記表示モード機能が、前記ユーザが前記書込媒体の最下部付近に書き込んでいることを前記手書き記録装置が検出した時に、ページ番号を進めるための警告メッセージを前記ユーザに表示するための機能を含む、請求項１に記載の方法。
【請求項１７】
前記手書き記録装置が、前記電子インキング・スタイラスの位置の所定の変化を検出した際に、前記ページ番号を自動的に進める、請求項１６に記載の方法。
【請求項１８】
電子インキング・スタイラス、ディジタル化タブレットおよびそれに関連する表示装置を有する手書き記録装置でページ情報を表示するためのシステムであって、前記手書き記録装置が、前記ディジタル化タブレット上に置かれる書込媒体上で前記電子インキング・スタイラスを使用して同時に作られる手書きストロークを表す１つまたは複数のディジタル・ページ内のストローク・データを記録し、
複数の表示モード機能のうちの少なくとも１つを選択するための手段と、
前記手書き記録装置に記憶された少なくとも１つのディジタル・ページを選択するための手段と、
表示されるページ情報を用いてユーザが前記書込媒体上の手書きページと前記選択されたディジタル・ページを視覚的に同期化できるようにするように、前記選択された表示モード機能に従って前記選択されたディジタル・ページの前記ページ情報を表示するための手段とを含み、
前記表示モード機能が、前記ディジタル化タブレットに近接する前記電子インキング・スタイラスの検出された位置に対応する前記選択されたディジタル・ページの部分に記録された前記手書きデータのパニング表示を表示するための手段を有するパニング・モード機能を含む、
システム。
【発明の詳細な説明】
【０００１】
【発明の属する技術分野】
本発明は、全般的には、手書きテキストのリアルタイム・ディジタル化のための手書き記録装置に関し、具体的には、手書き記録装置での手書きデータ内容などのページ情報を表示するためのシステムおよび方法に関する。
【０００２】
【従来の技術】
手書きテキストを、そのテキストが書き込まれる際にリアルタイムでディジタル化し、電子的に取り込むさまざまな手書き記録装置が存在する。通常、これらの従来の手書き記録装置は、電子スタイラス（すなわちペン）と共にディジタル化タブレットを使用して、手書きデータを記録する。ディジタル化タブレットは、たとえば、ユーザがスタイラスをタブレットの表面上またはその付近に置く際にスタイラスによって生成されるＲＦ（ラジオ［無線］周波数）信号放射を検出することによって、電子スタイラスの座標を表す位置データを生成する。
【０００３】
手書き記録装置の１種が、パーソナル・ディジタル・ノートパッド（ＰＤＮ）装置である。ＰＤＮ装置には、ＰＤＮが手書きストロークを記録する（位置データを検出することによって）間に、ユーザがディジタル化タブレット上に置かれた紙の上に書き込めるようにするためのインキング・チップ（inking tip）を有する電子スタイラスが含まれる。スタイラスには、通常、スタイラスが書込面に接触した時に「ペン・ダウン」信号を生成する圧力センサが含まれる。この信号は、通常は、専用の信号線を介するか副ＲＦ放射を介してディジタル化タブレットに伝えられる。したがって、ペン・ダウン信号と、無線感知グリッドに沿ってスタイラスが移動する際のスタイラスの無線放射の経路を監視することによって、ディジタル化タブレットは、ディジタル化タブレットの表面上またはそれに近接して書かれたテキストを含むペン・ストロークを表すデータ・ストリームを生成することができる。本明細書で使用する用語「ストローク」は、「ペンダウン」信号と「ペンアップ」信号の間に記録された手書きデータのグループを指すことを理解されたい。
【０００４】
ユーザの便宜と空間節約のために、ＰＤＮ装置は、全般に、できる限り小さく作られる。しかし、ＰＤＮ装置の物理的サイズを制限する制約の１つが、ＰＤＮと共に使用される用紙サイズ（すなわち、フォーム・ファクタ）である。たとえば、標準的な２１６ｍｍ×２７９ｍｍ（８．５インチ×１１インチ）の紙と共に使用されるＰＤＮの書込面の面積は、その紙の表面積より小さくすることができない。ＰＤＮ装置のサイズを制限するもう１つの制約は、状況情報を提供するのに使用され、ユーザがある機能にアクセスするためのメニュー選択肢を選択できるようにする、ユーザ・インターフェース（ＵＩ）または装置状況の表示装置（液晶表示装置（ＬＣＤ）など）の追加である。ＰＤＮ装置のサイズを最小限に保つためには、ＬＣＤの面積を最小限にしなければならない。
【０００５】
ＰＤＮ装置のＬＣＤ表示装置のサイズは、その電力使用によっても制約される。ユーザは、通常、ＰＤＮ装置が長い電池寿命を有することを要求する。したがって、ＬＣＤ画面のサイズを最小化し、したがって、ＬＣＤ画面の電力使用を最小化することによって、長い電池寿命を得ることができる。
【０００６】
ＰＤＮ装置のＬＣＤサイズを制限する制約からもたらされるさまざまな問題が存在する。１つの問題は、小さいＬＣＤ表示装置が、詳細なページ情報およびＰＤＮの情況情報をその表示装置を介して提供できる方法を制限し、これによって、ユーザが所望の情報にアクセスすることが困難になることである。たとえば、ＬＣＤのサイズ制約に起因して、現在使用可能なＰＤＮ装置は、所与のディジタル・ページに記録される手書き内容（または「ディジタル・インク」）を表示するように設計されていない。その結果、ユーザが、紙のはぎ取り式ノートの手書きページのどれがＰＤＮの番号付きのディジタル・ページに対応するかを忘れることが比較的簡単になり、これは、ユーザによる、所与のディジタル・ページに記録された手書きデータの上書きをもたらす可能性がある。
【０００７】
【発明が解決しようとする課題】
【課題を解決するための手段】
本特許出願は、パーソナル・ディジタル・ノートパッド（ＰＤＮ）装置などの、ユーザ・インターフェース表示装置（たとえばＬＣＤ）のサイズを制限する制約が存在する手書き記録装置でページ情報を視覚的に表示するための方法および装置を対象とする。本発明を用いると、ユーザは、１つまたは複数の動的アイコンを使用して選択された情報を表示する１つまたは複数の使用可能な表示モードを選択することによって、ページ情報を見ることができるようになる。さらに、ユーザは、所与のディジタル・ページの手書き内容の選択された部分を（表示装置を介して）見ることができ、これによって、ユーザに、記憶されたディジタル・インクと手書きテキストを同期化する機会が与えられる。
【０００８】
本発明の一態様では、ディジタル・ページのインク内容の構造の縮小版（すなわちサムネイル）を表す動的アイコンが表示される。
【０００９】
本発明のもう１つの態様では、手書きページがＰＤＮ上に置かれ、ユーザは、スタイラスが手書きページの諸部分を通過する際に現在のディジタル・ページのインク内容のパニング（左右に移動する）表示を表示するための「魔法の杖」としてスタイラスを利用することができる。この形で、ユーザは、スタイラスの付近にある手書きページの手書きインクと表示されたインクとを比較することによって、手書きページとディジタル・ページを同期化することができる。
【００１０】
本発明のもう１つの態様では、ディジタル・ページの先頭または末尾に記録された定義済みの数のストロークが表示される。この形で、ユーザは、手書きページの先頭または末尾にある手書き単語と表示された単語を比較することができる。
【００１１】
【発明の実施の形態】
本発明は、実用上の制約によってユーザ・インターフェース表示装置（たとえばＬＣＤ）のサイズが制限される、ＰＤＮ（または他の類似の装置）などの従来の手書き記録装置で実施することができることを理解されたい。本明細書で説明する発明は、さまざまな装置で使用することができるが、例示のために、本発明を、参照によって本明細書に組み込まれる１９９６年１１月１２日出願の「Methods, Systems and Products Pertaining To A Digitizer For Use In Paper Based Record Making Systems」という名称の米国特許出願第０８／７４７７３５号明細書に記載のパーソナル・ディジタル・ノートパッド（ＰＤＮ）装置に関して説明する。
【００１２】
上で組み込まれた米国特許出願第０８／７４７７３５号明細書で開示されたＰＤＮ装置の現在入手可能な実施例の１つが、A.T. Cross Company社によって名称ＣＲＯＳＳＰＡＤの下で販売されている。ＣＲＯＳＳＰＡＤ  ＰＤＮ装置を用いると、ユーザは、標準的な紙のはぎ取り式ノートに手書き情報を記録すると同時に、その書込の電子カーボン・コピーを記録することができるようになる。ここで図１を参照すると、本発明を実施することのできる、米国特許出願第０８／７４７７３５号明細書に開示されたものなどのＰＤＮ装置が示されている。このＰＤＮ装置には、ディジタル化タブレット（その輪郭は破線によって示される）の上に横たわる手書き記録区域（すなわちアクティブ区域）１２を有するハウジング１０が含まれる。ＰＤＮは、所与の用紙サイズ（フォーム・ファクタ）に適応するさまざまなサイズのうちの１つになるように設計することができる。たとえば、アクティブ区域１２の部分が、たとえば標準的な用紙サイズ（２１６ｍｍ×２７９ｍｍ（８．５インチ×１１インチ））または標準小切手帳サイズに一致するフォーム・ファクタを有するディジタル化タブレットを提供することができる。
【００１３】
ディジタル化タブレットは、ユーザがインキング・スタイラスを用いて紙（ディジタル化タブレットのアクティブ区域１２の上に置かれる）に書き込む際に、ＲＦ結合されたインキング・スタイラス１６から電磁信号１４を受け取る。紙の上のインクで作られる手書きストロークを表すデータ・ストリームが、ディジタル化タブレットによって生成される。所与のページが手書きストロークで満たさる際に、データ・ストリームが記録され、効果的に、手書きメモのページ全体の、書き込まれた順序での記録が作成される。この形で、ＰＤＮは、手書きテキストの電子カーボン・コピーを生成し、記録されたデータ・ストリームを記憶する。手書きデータは、ビットマップ画像または、時間的に連続する点でのディジタル化タブレット上のペン書込チップの位置を表すＸ−Ｙ座標のシーケンスとしてなどの適当な従来のフォーマットで記憶することができる。記録された手書きデータは、その後、記録された手書きデータの復号および認識のために別のコンピュータ・システムにアップロードすることができる。
【００１４】
ディジタル化タブレットには、複数の「ソフト・ボタン」も含まれる場合がある。ソフト・ボタンとは、ストローク情報がソフト・ボタン区域内で検出された時に特定の入力値を示すように事前に定義された、ディジタル化タブレットのアクティブ区域１２内の区域である。図示の実施例では、複数のソフト・ボタン１８が、ＰＤＮの最下部付近に水平の列で設けられている。ソフト・ボタン１８は、ディジタル化タブレットのどのアクティブ部分にも配置することができ、その位置は、省略時値によるか、ユーザ・カストマイズ手順を介して指定することができる。ソフト・ボタンの機能は、アイコンまたは凡例によって示すことができる。ペン・ストローク・データが、ソフト・ボタンの事前に定義された区域内で発生するものとして検出された時には、ソフト・ボタン・イベントに関連づけられたルーチンが、システムによって自動的に実行される。
【００１５】
ＰＤＮ装置には、ユーザ・プロンプトおよび他の情報を表示するのに使用されるＬＣＤ表示画面２０も含まれる。図からわかるように、ＰＤＮのＬＣＤ表示画面２０は、ディジタル化タブレットのアクティブ区域１２に関してかなり小さい。この物理的特性によって、表示できるページ情報の量ならびにそのような情報を表示する方法が制限される。たとえば、ＣＲＯＳＳＰＡＤは、現在は、ディジタル・ページのページ番号と、ディジタル・ページに手書きデータ（インク）が含まれるかどうかを示すページ・アイコンを表示するように構成されている。これは、ディジタル・ページにインクが記録されていないことを示す空白ページ・アイコンか、ページに記録されたインクがあることを象徴的に示すための線を有するページ・アイコンのいずれかを表示することによって行われる。
【００１６】
この構成には、複数の短所がある。たとえば、ページ・アイコンの表示される線は、所与のディジタル・ページに記録されたインクの量または構造を示さない。さらに、表示されるページ番号は、必ずユーザがディジタル・ページと手書きページを同期化できるようにするとは限らない。たとえば、ユーザは、手帳ではページ１からページ１０までと示される手書き記録の第１の組と、それに対応する、内部的に１から１０までのラベルを付けられたディジタル・ページを作ることができる。しかし、ユーザが、手書きのページ１からページ１０を有する別のノートに手書き記録の第２の組を作る場合、対応するディジタル・ページは、内部的には１１から２０までのラベルを付けられ（ユーザが内部ページ１から開始してそのディジタル・ページのインク内容を消去するのではないと仮定する）、これによって、ユーザが、手書きのページ番号と内部的にラベルを付けられたページ番号を視覚的に同期させることが困難になる。
【００１７】
本発明は、ＬＣＤ表示画面２０のサイズ制約を考慮して、ディジタル・ページのインク内容および／またはインク構造などの詳細なページ情報を視覚的に表示するための方法を提供する。有利なことに、これらの方法を用いると、かなり詳細なページ情報を表示できるようになり、ユーザが手書きページとＰＤＮに記憶されたディジタル・ページを簡単に同期化できるようになる。そのような方法の１つには、ＬＣＤ表示画面２０上に、ディジタル・ページのディジタル・インクの構造の縮小（すなわちサムネイル）版を表す動的アイコンを表示することが含まれる。もう１つの方法では、手書きページをＰＤＮに置き、スタイラスが手書きページの諸部分を通過する（ページに接触せずに）際にＬＣＤ表示画面２０上のディジタル・ページのインク内容のパニング表示を表示するための「魔法の杖」としてスタイラスを利用することが含まれる。ユーザは、表示されたディジタル・インクと、スタイラスに近接する手書きページの部分の手書きインクとを比較することによって、手書きページと現在のディジタル・ページを同期化することができる。本発明には、現在のディジタル・ページに記録された所定の数の初期ストロークまたは最終ストロークを表示するための方法も含まれる。この形で、ユーザは、手書きページの最初または最後のいずれかの単語と、現在のディジタル・ページの表示される最初または最後のストロークとを比較することができる。ページ情報および状況情報を表示するための上の方法のそれぞれならびに他の方法を、以下でさらに詳細に説明する。
【００１８】
図２を参照すると、ブロック図に、図１のＰＤＮ装置で実施することができる、本発明の一実施例によるページ情報および／または状況情報を視覚的に表示するためのシステムが示されている。図２に示されたシステムは、本発明の実施に使用される要素の全般的な表現であることに留意されたい。マイクロコントローラ１００が、このシステムの全体動作を制御する。このシステムには、不揮発性メモリ１０４（たとえばフラッシュ・メモリ）が含まれ、マイクロコントローラ１００に接続される揮発性メモリ１０２（たとえばランダム・アクセス・メモリ（ＲＡＭ））を含めることができる。ディジタイザ・サブシステム１０６には、マイクロコントローラ１００の制御下でストローク・データおよびイベント・データを検出し、収集するための適当なディジタル化ハードウェアと電磁センサ（図示せず）が含まれる。
【００１９】
複数のボタン／スイッチ１１０（たとえば、ソフト・ボタンおよび／またはハードワイヤード・ボタンとスイッチ）が、ページ情報および／または状況情報を表示するために本明細書で説明するさまざまな表示モードに直接にアクセスし、実施するために、本発明に従って使用される。その代わりに、ユーザは、対応するソフト・ボタンまたはハードワイヤード・ボタンを作動させて、ＬＣＤ１０８上に「表示モード・メニュー」を表示し、これによって、ユーザが、指定されたボタンまたはスイッチをトグルすることによって１つまたは複数の所望の表示モードを選択できるようにすることによって、１つまたは複数の表示モード機能を呼び出すことができる。
【００２０】
本発明による本明細書で説明するさまざまな表示モード機能は、適当なソフトウェアまたはマイクロ命令コードの制御下のマイクロコントローラ１００によって実施できることを理解されたい。たとえば、表示モード・プロセッサ１００ａは、ユーザの選択に従ってページ情報および／または状況情報を表示するために、１つまたは複数のルーチンを呼び出す。さらに、データ・プロセッサ・モジュール１００ｃは、ディジタイザ・サブシステム１０６によって生成されたデータ・ストリームのディジタル記録を生成し、データ・ストリームが作られる際にディジタル化された記録を不揮発性メモリ１０４に記憶するために、いくつかのマイクロ命令を使用する。データ・プロセッサ・モジュール１００ｃは、不揮発性メモリ１０４から記録されたデータ・ストリーム（データ・ファイル）を取り出し、データ・ファイルを処理して、順次記録されたストローク・データおよびイベント・データを分離し、カタログ化する。画像再構成モジュール１００ｂは、データ・プロセッサ・モジュール１００ｃからのストローク・データおよびイベント・データを使用して、記録されたインクの画像を再構成し、ユーザが選択した表示モードに従って表示する。
【００２１】
本発明に従って詳細なページ情報および／または状況情報を視覚的に表示するための方法の詳細な説明を、これから述べる。図３および図４を参照すると、本発明の一態様に従ってディジタル・ページの記録されたインクの構造を表示するための方法が示されている。この方法では、所与のディジタル・ページの記録されたインクの縮小（すなわちサムネイル）版を表す動的アイコンのＬＣＤ表示画面２０への表示が用いられる。有利なことに、この方法を用いると、ユーザが、表示されるアイコン内に示されるインク構造すなわちインクの相対的な空間的位置と、所与の手書きページのインク構造とを比較することによって、ディジタル・ページと手書きページを同期化できるようになる。
【００２２】
図２および図３を参照すると、まず、ユーザは、指定されたボタンを作動させるかメニューから選択することによって、（表示モード・プロセッサ１００ａを介して）サムネイル表示モードに入る。その後、ユーザは、不揮発性メモリ１０４内のディジタル・ページを選択する（指定されたボタンをトグルすることによって）。その後、選択されたディジタル・ページのディジタル・インクが、記録された位置データを読み取ることによって処理される（データ・プロセッサ・モジュール１００ｃを介して）。この位置データから、ＰＤＮは（画像再構成モジュール１００ｂを介して）、図からわかるように全体でｘ×ｙ個のサブ区域を含むディジタル・ページＰの各サブ区域内に記録されたインクがあるかどうかを検出することができる。その後、ディジタル・ページＰの縮小版を、ｘ'×ｙ'画素の面積を有する動的アイコンＰ'によって表すことができ、その各画素は、ディジタル・ページの区域「Ａ」によって示されるように、事前に選択された数のサブ区域（「指定された区域」）に対して指定される。
【００２３】
その後、ディジタル・ページＰのインク構造のサムネイル表現が、記録されたインクを含むディジタル・ページの指定された区域を有する動的アイコンＰ'の各画素を活動化することによって生成される。記録されたインクがない指定された区域を有する各画素は、活動化されない。たとえば、図３を参照すると、サムネイル・アイコンＰ'の画素Ａ'は、ディジタル・ページＰの２５個のサブ区域を占める、ディジタル・ページＰの区域Ａに対して指定される。区域Ａ内で記録されたインクが検出された場合、画素Ａ'が活動化される。この形で、動的アイコンを表示して、ユーザに、ディジタル・ページのインク構造を表示できるかどうかに関する情報を与えることができる。図４は、異なるディジタル・ページについて表示されるアイコンがどのように見えるかに関する例を示す図である。
【００２４】
ディジタル・ページＰのインク構造のサムネイル表現は、グレイ・スケール画像処理技法を使用して生成することもできることを諒解されたい。この情況では、システムは、ディジタル・ページの指定された区域Ａのそれぞれについて、インクが記録されているサブ区域の数を計算する。ディジタル・ページＰのインク構造のサムネイル表現は、画素の指定された区域の記録されたインクを有するサブ画素の比率に基づくグレイ・スケール係数に従って、動的アイコンＰ'の各画素を活動化することによって生成される。有利なことに、グレイ・スケール・サムネイル版は、所与のディジタル・ページのインク構造に関するより詳細な情報を提供することができる。
【００２５】
この方法によって提供される区別の量は、アイコンの定義に使用される画素数ならびにスケーリング分解能（すなわち、特定の画素に指定されるサブ区域の数）に依存することを諒解されたい。さらに、ディジタル・ページのサムネイル表現を動的に表示することができ、これによって、ページにユーザが書き込む際に、表示されるサムネイル・アイコンが継続的に更新されるようにすることができることを諒解されたい。
【００２６】
ここで図５を参照すると、本発明のもう１つの態様に従ってページ情報を表示するための方法が示されている。この方法では、ユーザは、「パニング・モード」表示オプションを選択する（表示モード機能メニューを介するか指定されたボタンを作動させて）ことができ、これによって、ＬＣＤ１０８全体またはＬＣＤ１０８の一部を使用して、ディジタル・ページの記録されたインクの一部のパニング表示が表示される。図５からわかるように、ユーザは、ディジタル化タブレットの表面の上に手書きページ２２を置くことができる。その後、ユーザは、ディジタル化タブレットがペンの位置（すなわち座標）を検出する（もちろん、ペンはページからあらかじめ指定された無線閾値限界距離の中にあるが、ページに触れず、ページにインクを付けていないと仮定する）際に、手書きページ２２の上でインキング・スタイラス１６の先端を移動することができる。検出されたペン位置は、現在のディジタル・ページの対応する位置の記録されたインクへのアクセスに使用される。その後、現在のディジタル・ページのその位置の記録されたインクのビットマップ画像が、ＬＣＤ表示画面２０に表示される。
【００２７】
電子ペンは、２つの周波数を用いて動作し、一方の周波数（または周波数のパターン）は、「ペン・ダウン」または「インキング」状態の間に放射され、これによって、ディジタル化タブレットが、その無線放射を検出し、手書きストロークを記録し、第２の周波数（または周波数のパターン）は、「オン」状態の間に放射され、これによって、ディジタル化タブレットが、ペンからの無線放射を検出するが、ストローク・データを記録しないことを理解されたい。したがって、ＰＤＮは、パニング表示モードを実施するためには「オン」状態で動作する。
【００２８】
図５に関する例として、検出区域（破線によって画定され、「ａ」として指定される）が検出され、その検出区域で記録されたインク「jumped」が、ＬＣＤ表示画面２０に表示される。手書き単語「jumped」（検出区域「ａ」内の）は、表示された単語に類似するので、ユーザは、そのディジタル・ページが手書きページに対応すると結論することができる。
【００２９】
検出区域「ａ」は、検出された無線の最大の大きさを有するペンの座標（ペン位置）を判定し、その後、あらかじめ定義された値を使用して検出された位置の周囲に境界区域を形成することによって生成できることを諒解されたい。たとえば、位置区域は、あらかじめ定義された箱の中心がペン位置（最大の検出された大きさを有する）である、２５．４ｍｍ×２５．４ｍｍ（１インチ×１インチ）の箱になるようにあらかじめ定義することができる。この形で、あらかじめ定義された検出区域「ａ」の大きさと、表示装置の指定された大きさに応じて、表示されるインクを、実際の寸法とするか、ページのより多くの部分またはより少ない部分を示すためになんらかの所定の値によってスケーリングすることができることを諒解されたい。たとえば、検出区域「ａ」のサイズが、２５．４ｍｍ×２５．４ｍｍであり、パニング・モードのためのＬＣＤの指定された区域が１ｃｍ×１ｃｍである場合には、検出区域内の記録された画像を、表示装置の指定された部分におさまるように縮小することができる。
【００３０】
本発明に従ってページ情報を表示するためのもう１つの方法では、ディジタル・ページの最初に記録されたストロークのうちの所定の数「ｎ」個の表示を用いる。その代わりに、ディジタル・ページの最後に記録された所定の数「ｎ」個のストロークを表示することができる。上の表示モード選択肢と同様に、この表示モードは、表示モード機能メニューを介するか、指定されたボタンまたはスイッチを作動させることによって選択することができる。選択されたディジタル・ページは、不揮発性メモリ１０４から取得される。データ・プロセッサ・モジュール１００ｃは、そのシステムが表示するようにプログラミングされた所定の数である「ｎ」個のストロークに対応する記録されたインクを抽出し、処理する。画像再構成モジュールが、その記録されたインクのビットマップ画像を再構成し、表示する。
【００３１】
システムが、かなりの数「ｎ」のストローク項目を表示するように構成される場合、ユーザは、所与のページについて表示可能な情報の間でトグルすることができ、これは、「ｎ」項目のそれぞれが表示された後に静的になる。その代わりに、複数の単語を同時に表示できるように、上で述べたように縮小されたビットマップ画像（たとえば単語）を構成することができる。この表示モードを用いると、ユーザは、ディジタル・ページの先頭または末尾で記録されたインクと手書きページのインクを比較することによって、ディジタル・ページと手書きページを同期化できるようになる。
【００３２】
もう１つの実施例では、ユーザは、所与のページについて記録されたストローク数を表示する表示モード選択肢を選択することができる。具体的に言うと、ユーザは、記録されたディジタル・ページの間でトグルすることができ、各ディジタル・ページのストローク数をＬＣＤに表示させることができる。この情報を用いて、ユーザは、ストローク数を使用して、選択されたディジタル・ページの記録されたインクの量を判定することによって、手書きページとディジタル・ページを同期化することができる。
【００３３】
本発明のもう１つの実施例では、「キーワード」を使用してユーザにページ内容情報を提供する表示モード選択肢（「キーワード表示モード」）を選択することによって、ページ情報にアクセスすることができる。キーワードは、以前に手書き記録の作成中にユーザによって選択された１単語または単語のグループとすることができる。具体的に言うと、キーワードは、ユーザによって選択され、ソフト・ボタンを介して単一の単位として電子的にタグを付けられたインク・ストロークのグループである。キーワードは、通常は、所与の段落またはページの主要な概念または発想を表すためにユーザによって選択される。記録されたキーワードを使用すると、ユーザは、複数の方法のうちの１つでＬＣＤからページ内容情報を視覚的に得ることができる。
【００３４】
たとえば、このシステムは、所与のディジタル・ページについて以前に指定されたキーワードの数を表示するように構成することができる。データ・プロセッサ・モジュール１００ｃは、選択されたディジタル・ページを処理して、そのディジタル・ページ上で指定されたキーワードの数を判定する。ユーザは、ディジタル・ページの間でトグルして、各ディジタル・ページについて表示されるキーワード数を見る。所与の手書きページに関するキーワード指定の数を知ることによって、ユーザは、手書きページと同数のキーワードを有するディジタル・ページを見つけることによって、対応するディジタル・ページを見つけることができる。
【００３５】
さらに、キーワード表示モードは、現在のディジタル・ページに関連するキーワードのビットマップ画像を表示することによって実施することができる。具体的に言うと、現在のディジタル・ページの所与のキーワードについて、画像再構成モジュール１００ｂが、キーワードとしてタグを付けられたストローク・データのビットマップ画像を生成する。この再構成処理（およびスケーリング方法）は、パニング・モードに関連して上で説明した処理に類似する。したがって、所与のページのキーワードがある場合に、それらのキーワードの間でトグルすることによって、ユーザは、所与のキーワードに関連する１つまたは複数の単語を順次見ることができ、表示されたキーワードを手書きテキストと比較することができる。
【００３６】
本発明のもう１つの実施例によれば、ユーザは、ディジタル・ページの以前に指定されたしおり（ブックマーク）の数を表示する表示モード選択肢（「ブックマーク表示モード」）を選択することができる。この形で、ブックマーク・アイコンを表示して、現在のページに関連するしおりがあるかどうかと、何個のしおりがあるかをユーザに知らせることができる。
【００３７】
本発明のもう１つの実施例によれば、ユーザは、ページ番号ボックス内に書き込まれたページ番号のビットマップ画像を表示する表示モード選択肢（「ページ番号表示モード」）を選択することができる。この方法を用いると、記録される所望のページ番号をユーザが手書きする手書きページのあらかじめ定義された領域にページ番号ボックスを指定することができる。この形で、ユーザは、ディジタル・ページの記録されたページ番号を見、表示された番号と手書きページの手書きページ番号を比較することができる。やはり、再構成とスケーリング処理は、パニング・モードに関連して上で説明したものに類似する。
【００３８】
本発明のもう１つの実施例を用いると、ユーザは、ディジタル化タブレットによって検出された、スタイラスのＸ座標およびＹ座標すなわち位置を見ることができる。この特徴は、再現性をもたらす、すなわち、ユーザは、たとえばページがタブレットから落ちたか、ユーザが一時的に紙を取り除いた場合に、ディジタル化タブレット上で手書きページを同一の位置に配置することができる。たとえば、ユーザは、手書き記録上の複数の位置を登録するすなわち、ある手書きテキストにｘ−ｙ座標を割り当てることができ、これによって、ユーザは、手書きの紙をディジタル化タブレットに置き、スタイラスが手書きテキストに対応する座標を検出するまで紙を位置合せすることができるようになる。
【００３９】
さらに、このシステムは、所与のディジタル・ページの最後に記録されたストロークのｘ−ｙ座標を「記憶」するように構成することができる。最後に記録された位置の情報は、自動的に記憶するか、ユーザによって手動で記憶することができる。この新規の機能は、たとえば、ユーザが前の手書きの紙の上での書込を継続したいが、記録されたインクを上書きしたくない（すなわち、最後に記録された位置から始めて、追加インクの記録を開始する）時に適用可能である。この形で、ＬＣＤには、スタイラスが手書きページ（ディジタル化タブレットの上に置かれる）の上を移動する際に、スタイラスの現在の座標ならびに最後に記録されたインクの記憶された座標が表示されて、ユーザが、最後に記録された位置を手書きページの上の所望の位置に位置合せできるようになる。さらに、このシステムは、最後に記録された位置に到達するためにユーザがスタイラスを移動しなければならない方向を示すために、ＬＣＤに１つまたは複数の矢印を表示するように構成することができる。
【００４０】
本発明のもう１つの実施例によれば、ＬＣＤを使用して、ページ番号を進めることをユーザに思い出させることができる。現在、ＣＲＯＳＳＰＡＤは、「新規ページ・イベント」の発生時に、ページ識別子を、所与の手書きページに関して記録されるストローク・データに関連付けるように構成されている。用語イベントは、あらかじめ定義された意味を割り当てられる出来事をさす。「新規ページ・イベント」は、スイッチまたはソフト・ボタンもしくは他の何らかの手段を作動させることによって、ユーザによって呼び出される。新規ページ・イベントの検出時に、ＰＤＮは、内部ページ・インデックス（ページ番号）を変更し、その後に記録されるインクは、新しいページに関連する。その後、システムは、新しいページ識別子データを記録する。しかし、ユーザがページ番号を進めない場合には、ユーザは、新しい紙の上で書き始めた時に、記録済みのインクに上書きする可能性がある。
【００４１】
この問題は、本発明による方法によって回避できる。この方法によって、システムは、ユーザがページの最下部付近に書き込んでいる時を検出し、その場合に、ＬＣＤに警告メッセージを点滅させるか、他の形でページ番号を進めるようにユーザに助言する。その代わりに、位置情報を使用してページ番号を自動的に進めるようにシステムを構成することができる。具体的に言うと、システムは、スタイラスのＹ位置の大きな変化が検出された（ユーザがページの最下部で書込を停止し、その後、ページの最上部へペンを移動するか、そこで書込を開始する時など）時に、ページ番号を進めるように構成することができる。さらに、このシステムは、表示装置上でメッセージを点滅させるか、音信号を生成して、ページ番号が自動的に進められたか、これからそうされるか、そうしなければならないことをユーザに助言するように構成することができる。
【００４２】
要約すると、ディジタル・ページのインク内容またはインク構造などのページ情報を視覚的に表示するための上で説明したさまざまな方法を用いると、有利なことに、ＬＣＤのサイズ制約にかかわらず、詳細なページ情報を表示できるようになる。したがって、ユーザは、手書きページとＰＤＮに記憶されたディジタル・ページを簡単に同期化できる。
【００４３】
まとめとして、本発明の構成に関して以下の事項を開示する。
【００４４】
（１）電子インキング・スタイラス、ディジタル化タブレットおよびそれに関連する表示装置を有する手書き記録装置でページ情報を表示するための方法であって、前記手書き記録装置が、前記ディジタル化タブレット上に置かれる書込媒体上で前記電子インキング・スタイラスを使用して同時に作られる手書きストロークを表す１つまたは複数のディジタル・ページ内のストローク・データを記録し、
複数の表示モード機能のうちの少なくとも１つを選択するステップと、
前記手書き記録装置に記憶された少なくとも１つのディジタル・ページを選択するステップと、
表示されるページ情報を用いてユーザが手書きページと前記選択されたディジタル・ページを同期化できるようにするように、前記選択された表示モード機能に従って前記選択されたディジタル・ページの前記ページ情報を表示するステップと
を含む方法。
（２）前記表示モード機能が、前記選択されたディジタル・ページのサムネイル・アイコンを表示するための機能を含む、上記（１）に記載の方法。
（３）前記サムネイル・アイコン表示モード機能に従ってページ情報を表示する前記ステップが、
前記選択されたディジタル・ページの手書きデータ内容の縮小版を生成するステップと、
前記サムネイル・アイコン内に前記ディジタル・ページの前記手書きデータ内容の構造を示す前記縮小版を表示するステップと
を含む、上記（２）に記載の方法。
（４）前記選択されたディジタル・ページの前記手書きデータ内容の縮小版を生成する前記ステップが、
サムネイル・アイコンを表示するために前記表示装置の所定の数の画素を指定するステップと、
前記ディジタル・ページの指定された区域のそれぞれが所定の数の座標に関連する、前記ディジタル・ページの指定された区域に前記サムネイル・アイコンの指定された画素のそれぞれを割り当てるステップと、
記録された手書きデータを有する座標を判定するために、前記選択されたディジタル・ページ上で記録された位置データを処理するステップと
を含む、上記（３）に記載の方法。
（５）前記サムネイル・アイコン内で前記縮小版を表示する前記ステップが、
記録された手書きデータを有すると判定された座標を有する指定された区域を有する前記サムネイル・アイコンの各画素を活動化するステップ
を含む、上記（４）に記載の方法。
（６）記録された手書きデータを有する座標を判定するために前記選択されたディジタル・ページ上に記録された位置データを処理する前記ステップが、各指定された区域内の、記録された手書きデータを有する座標の数を計算するステップを含む、上記（４）に記載の方法。
（７）前記サムネイル・アイコン内で前記縮小版を表示する前記ステップが、
記録された手書きデータを有すると判定された座標を有する指定された区域を有する前記サムネイル・アイコンの各画素を活動化するステップであって、各画素が、記録された手書きデータを有する対応する指定された区域内の所定の数の座標の比率に基づくグレイ・スケール係数に従って活動化される、活動化するステップ
を含む、上記（６）に記載の方法。
（８）前記表示モード機能が、前記ディジタル化タブレットに近接する前記電子インキング・スタイラスの検出された位置に対応する前記選択されたディジタル・ページの部分に記録された前記手書きデータのパニング表示を表示するためのパニング・モード機能を含む、上記（１）に記載の方法。
（９）前記パニング・モード機能に従ってページ情報を表示する前記ステップが、手書きページをディジタル・ページと同期化するために、
前記ディジタル化タブレット上に前記手書きページを置くステップと、
前記電子インキング・スタイラスの位置を継続的に検出している間に、前記手書きページ上で前記電子インキング・スタイラスを移動するステップと、
前記電子インキング・スタイラスの前記検出された位置に対応する前記選択されたディジタル・ページ上の前記手書きデータの画像を表示するステップと、
前記選択されたディジタル・ページが前記手書きページに対応するかどうかを判定するために、前記電子インキング・スタイラスの近傍の前記手書きページ上の手書きと前記表示された手書き画像を視覚的に比較するステップと
を含む、上記（８）に記載の方法。
（１０）前記表示モード機能が、前記選択されたディジタル・ページの先頭で記録された所定の数のストロークを表示するための機能を含む、上記（１）に記載の方法。
（１１）前記表示モード機能が、前記選択されたディジタル・ページの末尾で記録された所定の数のストロークを表示するための機能を含む、上記（１）に記載の方法。
（１２）前記表示モード機能が、前記選択されたディジタル・ページ上で記録されたストロークの数を表示するための機能を含む、上記（１）に記載の方法。
（１３）前記表示モード機能が、前記選択されたページ上で記録された少なくとも１つのキーワードのうちの１つ、前記選択されたページ上で記録されたキーワードの量およびこれらの組合せを表示するための機能を含む、上記（１）に記載の方法。
（１４）前記表示モード機能が、前記選択されたページについて指定されたしおりの数を表示するための機能を含む、上記（１）に記載の方法。
（１５）前記表示モード機能が、前記選択されたディジタル・ページの指定された区域内で記録された手書きページ識別子のビットマップ画像を表示するための機能を含む、上記（１）に記載の方法。
（１６）前記表示モード機能が、前記ディジタル化タブレットに近接する前記電子インキング・スタイラスの位置を表示するための機能を含む、上記（１）に記載の方法。
（１７）前記表示モード機能が、前記ディジタル化タブレットに近接する前記電子インキング・スタイラスの位置と、前に記憶された位置の位置とを、前記ユーザが上電子インキング・スタイラスの位置を前記記憶された位置に位置合せできるように、同時に表示するための機能を含む、上記（１）に記載の方法。
（１８）前記表示モード機能が、前記ユーザが前記書込媒体の最下部付近に書き込んでいることを前記手書き記録装置が検出した時に、ページ番号を進めるための警告メッセージを前記ユーザに表示するための機能を含む、上記（１）に記載の方法。
（１９）前記手書き記録装置が、前記電子インキング・スタイラスの位置の所定の変化を検出した際に、前記ページ番号を自動的に進める、上記（１８）に記載の方法。
（２０）電子インキング・スタイラス、ディジタル化タブレットおよびそれに関連する表示装置を有する手書き記録装置でページ情報を表示するためのシステムであって、前記手書き記録装置が、前記ディジタル化タブレット上に置かれる書込媒体上で前記電子インキング・スタイラスを使用して同時に作られる手書きストロークを表す１つまたは複数のディジタル・ページ内のストローク・データを記録し、
複数の表示モード機能のうちの少なくとも１つを選択するための手段と、
前記手書き記録装置に記憶された少なくとも１つのディジタル・ページを選択するための手段と、
表示されるページ情報を用いてユーザが手書きページと前記選択されたディジタル・ページを同期化できるようにするように、前記選択された表示モード機能に従って前記選択されたディジタル・ページの前記ページ情報を表示するための手段と
を含むシステム。
（２１）前記表示モード機能が、前記選択されたディジタル・ページのサムネイル・アイコンを表示するための手段を含む、上記（２０）に記載のシステム。
（２２）前記サムネイル・アイコンを表示するための前記手段が、
前記選択されたディジタル・ページの手書きデータ内容の縮小版を生成するための手段と、
前記サムネイル・アイコン内に前記ディジタル・ページの前記手書きデータ内容の構造を示す前記縮小版を表示するための手段と
を含む、上記（２１）に記載のシステム。
（２３）前記選択されたディジタル・ページの前記手書きデータ内容の縮小版を生成するための前記手段が、
サムネイル・アイコンを表示するために前記表示装置の所定の数の画素を指定するための手段と、
前記ディジタル・ページの指定された区域のそれぞれが所定の数の座標に関連する、前記ディジタル・ページの指定された区域に前記サムネイル・アイコンの指定された画素のそれぞれを割り当てるための手段と、
記録された手書きデータを有する座標を判定するために、前記選択されたディジタル・ページ上で記録された位置データを処理するための手段と
を含む、上記（２２）に記載のシステム。
（２４）前記サムネイル・アイコン内で前記縮小版を表示するための前記手段が、
記録された手書きデータを有すると判定された座標を有する指定された区域を有する前記サムネイル・アイコンの各画素を活動化するための手段
を含む、上記（２３）に記載のシステム。
（２５）記録された手書きデータを有する座標を判定するために前記選択されたディジタル・ページ上に記録された位置データを処理するための前記手段が、各指定された区域内の、記録された手書きデータを有する座標の数を計算するための手段を含む、上記（２３）に記載のシステム。
（２６）前記サムネイル・アイコン内で前記縮小版を表示するための前記手段が、
記録された手書きデータを有すると判定された座標を有する指定された区域を有する前記サムネイル・アイコンの各画素を活動化するための手段であって、各画素が、記録された手書きデータを有する対応する指定された区域内の所定の数の座標の比率に基づくグレイ・スケール係数に従って活動化される、活動化するための手段
を含む、上記（２５）に記載のシステム。
（２７）前記表示モード機能が、前記ディジタル化タブレットに近接する前記電子インキング・スタイラスの検出された位置に対応する前記選択されたディジタル・ページの部分に記録された前記手書きデータのパニング表示を表示するための手段を有するパニング・モード機能を含む、上記（２０）に記載のシステム。（２８）前記表示モード機能が、前記選択されたディジタル・ページの先頭で記録された所定の数のストロークを表示するための手段を含む、上記（２０）に記載のシステム。
（２９）前記表示モード機能が、前記選択されたディジタル・ページの末尾で記録された所定の数のストロークを表示するための手段を含む、上記（２０）に記載のシステム。
（３０）前記表示モード機能が、前記選択されたディジタル・ページ上で記録されたストロークの数を表示するための手段を含む、上記（２０）に記載のシステム。
（３１）前記表示モード機能が、前記選択されたページ上で記録された少なくとも１つのキーワードのうちの１つ、前記選択されたページ上で記録されたキーワードの量およびこれらの組合せを表示するための手段を含む、上記（２０）に記載のシステム。
（３２）前記表示モード機能が、前記選択されたページについて指定されたしおりの数を表示するための手段を含む、上記（２０）に記載のシステム。
（３３）前記表示モード機能が、前記選択されたディジタル・ページの指定された区域内で記録された手書きページ識別子のビットマップ画像を表示するための手段を含む、上記（２０）に記載のシステム。
（３４）前記表示モード機能が、前記ディジタル化タブレットに近接する前記電子インキング・スタイラスの前記位置を表示するための手段を含む、上記（２０）に記載のシステム。
（３５）前記表示モード機能が、前記ディジタル化タブレットに近接する前記電子インキング・スタイラスの位置、前に記憶された位置の位置および少なくとも１つの矢印を、前記ユーザが上電子インキング・スタイラスの位置を前記記憶された位置に位置合せするために、表示される矢印によって示される方向に前記電子インキング・スタイラスを移動できるようにするために、同時に表示するための手段を含む、上記（２０）に記載のシステム。
（３６）前記表示モード機能が、前記ユーザが前記書込媒体の最下部付近に書き込んでいることを前記手書き記録装置が検出した時に、ページ番号を進めるための警告メッセージを前記ユーザに表示するための手段を含む、上記（２０）に記載のシステム。
（３７）前記警告メッセージ表示手段が、さらに、前記電子インキング・スタイラスの位置の所定の変化を検出するための手段と、位置の前記所定の変化が検出された場合に自動的に前記ページ番号を進めるための手段とを含む、上記（３６）に記載のシステム。
【図面の簡単な説明】
【図１】本発明を実施することができる手書き記録装置を示す図である。
【図２】本発明の一実施例による、ページ情報を視覚的に表示するために図１の装置で実施することのできるシステムの全般的なブロック図である。
【図３】本発明の一態様に従ってページ内容を視覚的に表示するための方法を示す図である。
【図４】本発明の一態様に従ってページ内容を視覚的に表示するための方法を示す図である。
【図５】本発明のもう１つの態様に従ってページ内容を視覚的に表示するための方法を示す図である。
【符号の説明】
１０  ハウジング
１２  手書き記録区域（アクティブ区域）
１４  電磁信号
１６  インキング・スタイラス
１８  ソフト・ボタン
２０  ＬＣＤ表示画面
２２  手書きページ
１００  マイクロコントローラ
１００ａ  表示モード・プロセッサ
１００ｂ  画像再構成モジュール
１００ｃ  データ・プロセッサ・モジュール
１０２  揮発性メモリ
１０４  不揮発性メモリ
１０６  ディジタイザ・サブシステム
１０８  ＬＣＤ
１１０  ボタン／スイッチ
【図１】
0004012354.tif 000002
【図２】
0004012354.tif 000003
【図３】
0004012354.tif 000004
【図４】
0004012354.tif 000005
【図５】
0004012354.tif 000006